(57)【要約】【課題】  ガラス板を複層ガラスにする障子の金属枠部分における結露を効果的に防止できるようにする。【解決手段】  建築物の屋内Ｉと建築物の屋外Ｏとを連通する開口を内側に形成する基枠１を備え、基枠１が屋外側部に設けられて開口を閉鎖する障子２と、屋内側部に設けられて障子２に対向する枠部とを備え、障子２が基枠１に保持される金属枠２１と、金属枠２１に保持される複層ガラス２２とを備え、枠部が金属枠２１における屋内Ｉを向く見付面２１ａに隙間Ｓを設けて対向し、枠部と障子２との間にシール部材４を備え、シール部材４が複層ガラス２２で仕切られる屋内Ｉの隙間Ｓへの連通を阻止する。【選択図】  図３
2014201876.tif 000002
【特許請求の範囲】
【請求項１】
建築物の屋内と建築物の屋外とを連通する開口を内側に形成する基枠を備え、
この基枠が屋外側部に設けられて上記開口を閉鎖する障子と、屋内側部に設けられて上記障子に対向する枠部とを備え、
上記障子が上記基枠に保持される金属枠と、この金属枠に保持される複層ガラスとを備え、
上記枠部が上記金属枠における屋内を向く見付面に隙間を設けて対向し、
上記枠部と上記障子との間にシール部材を備え、
このシール部材が上記複層ガラスで仕切られる屋内の上記隙間への連通を阻止することを特徴とする結露防止構造。
【請求項２】
上記シール部材は、基端が上記枠部に保持されて先端が上記複層ガラスおよび上記見付面のいずれか一方または両方に当接し、あるいは、上記シール部材は、基端が上記金属枠の見付面に、または、この見付面と上記複層ガラスと境界部分に保持されて先端が上記枠部に当接する請求項１に記載の結露防止構造。
【請求項３】
上記シール部材は、軟質合成樹脂材あるいは軟質ゴム材で、長尺の中実棒状または細幅帯状あるいはチューブ状に形成されて無限帯状に設けられる請求項１または請求項２に記載の結露防止構造。
【請求項４】
上記基枠の屋内側部に枠部材が設けられ、この枠部材が上記枠部を備える請求項１、請求項２または請求項３に記載の結露防止構造。
【請求項５】
上記基枠の屋内側部に、網戸枠とこの網戸枠に張られる防虫網とを備える防虫網戸が設けられ、上記網戸枠が上記枠部を備える請求項１、請求項２、請求項３または請求項４に記載の結露防止構造。
【発明の詳細な説明】
【技術分野】
【０００１】
本発明は、結露防止構造に関し、特に、建築物の開口部に設けられて建築物の屋内と建築物の屋外との連通を遮断する障子における結露の防止に最適となる結露防止構造の改良に関する。
【背景技術】
【０００２】
建築物の開口部に設けられて建築物の屋内と建築物の屋外との連通を遮断する障子は、従来から、金属枠にガラス板を嵌めた態様に形成されて、建築物の開口部を形成する基枠に保持される。
【０００３】
そして、障子にあっては、言わば高温側となる屋内と言わば低温側となる屋外との間の温度差で、障子の屋内を向く面、すなわち、金属枠に比較すると面積が大きくなるガラス板における屋内を向く面が結露することが周知されている。
【０００４】
この結露を防止する観点からすると、障子をいわゆる開放可能に形成して障子を開放することで、屋内の暖気と屋外の冷気とを交換する、すなわち、換気をすることで結露を防止できるが、換気作業を頻繁に行うのは事実上困難になり、屋内と屋外との間に温度差があれば、障子が結露するのは常態と言える。
【０００５】
そこで、たとえば、特許文献１に開示の結露防止構造が提案されるに至っており、この提案による場合には、障子を形成するガラス板と屋内との間に空気層を設けるから、屋内の暖気が冷えたガラス板に直接触れることを阻止でき、したがって、障子にあって、ガラス板における屋内を向く面への結露を防止できる。
【先行技術文献】
【特許文献】
【０００６】
【特許文献１】特開２００４−２９３２８０号公報
【発明の概要】
【発明が解決しようとする課題】
【０００７】
しかしながら、上記した特許文献１に開示の提案にあっては、障子のガラス板部分における結露の防止には有効であるが、障子の金属枠部分における結露を防止できない。
【０００８】
すなわち、近年の障子にあっては、金属枠に嵌めるガラス板を外側のガラス板と内側のガラス板の複層にして間に空気層を設けることで、内側のガラス板における屋内を向く面への結露を防止することが多用され、したがって、上記した特許文献１に開示の提案に対しては、障子におけるガラス板を複層にすることが取って代わることになる。
【０００９】
その結果、障子にあってガラス板を複層ガラスにする場合には、障子における結露は、金属枠部分に発生することになるが、このガラス板を複層ガラスにする障子の金属枠部分についての結露を防止する方策について、これまでに提案がないのが現状である。
【００１０】
本発明は、上記した現状を鑑みて創案されたものであって、その目的とするところは、ガラス板を複層ガラスにする障子の金属枠部分における結露を効果的に防止できる結露防止構造を提供することである。
【課題を解決するための手段】
【００１１】
上記した目的を達成するために、本発明による結露防止構造の構成を、建築物の屋内と建築物の屋外とを連通する開口を内側に形成する基枠を備え、この基枠が屋外側部に設けられて上記開口を閉鎖する障子と、屋内側部に設けられて上記障子に対向する枠部とを備え、上記障子が上記基枠に保持される金属枠と、この金属枠に保持される複層ガラスとを備え、上記枠部が上記金属枠における屋内を向く見付面に隙間を設けて対向し、上記枠部と上記障子との間にシール部材を備え、このシール部材が上記複層ガラスで仕切られる屋内の上記隙間への連通を阻止するとする。
【発明の効果】
【００１２】
それゆえ、本発明にあっては、シール部材が枠部と障子における金属枠の屋内を向く見付面との間の隙間と、障子における複層ガラスで仕切られる屋内との連通を遮断するから、複層ガラスで仕切られる屋内の空気が上記の隙間に流入して金属枠の見付面に触れることを阻止でき、金属枠の見付面における結露を防止できることになり、その結果、屋内の熱が金属枠を伝わって屋外に放散される事態の招来を回避でき、屋内の保温効果を良くするのに最適となる。
【００１３】
そして、本発明によれば、枠部と金属枠の見付面との間の隙間が複層ガラスで仕切られる屋内に連通しないから、屋外の冷気が複層ガラスの屋内を向く面を冷やすことがなく、したがって、屋内の保温効果を良くするのに寄与することになる。
【図面の簡単な説明】
【００１４】
【図１】本発明による結露防止構造を一部破断して示す横断面図である。
【図２】本発明による結露防止構造を一部破断して示す縦断面図である。
【図３】本発明による結露防止構造を構成するシール部材の配設状態を示す部分拡大横断面図である。
【図４】他の実施形態の枠部を備える結露防止構造を部分的に拡大して示す横断面図である。
【図５】他の実施形態の枠部を備える結露防止構造を部分的に拡大して示す横断面図である。
【発明を実施するための形態】
【００１５】
以下に、図示した実施形態に基づいて、本発明を説明するが、本発明による結露防止構造は、図１および図２に示すように、建築物（符示せず）における躯体たる壁部（符示せず）に設けられて図１中および図２中で右側となる建築物の屋内Ｉと、図１中および図２中で左側となる建築物の屋外Ｏとの連通を許容する開口部（符示せず）に具現化される。
【００１６】
すなわち、図１および図２に示すように、建築物の屋内Ｉと屋外Ｏとの連通を許容する開口部は、内側を開口(符示せず)にして建築物の屋内Ｉと屋外Ｏとを連通させる基枠１を備え、この基枠１の内側に本発明による結露防止構造が具現化されるとしている。
【００１７】
言い換えれば、本発明による結露防止構造は、基枠１と、この基枠１に設けられる障子２と、基枠１に設けられて枠部を構成する防虫網戸３とを備え、さらに、防虫網戸３と障子２との間に設けられるシール部材４を備える。
【００１８】
順次説明すると、基枠１は、建築物の壁部に設けられる開口部を形成する観点からすると、任意に構成されて良いが、一般的には、図示しないが、建築物の開口部が立面視で矩形に形成されることから、これに相応するように形成される。
【００１９】
すなわち、基枠１は、図示するところにあって、左右の立て枠１１，１２（図１参照）と、この左右の立て枠１１，１２の上下端を繋ぐ上枠１３(図２参照)および下枠１４(図２参照)とを備えて、立面視で矩形を呈するように形成される。
【００２０】
そして、基枠１は、内側に障子２を設けさせるように構成されるのはもちろんのこと、図示するところでは、枠部を構成する防虫網戸３を設けさせるように構成され、さらには、閉めた状態の障子２との間で密封性を保障するため、図１中および図２中に符号１５で示すように、密封シールを備える。
【００２１】
そしてまた、基枠１は、図示するところにあって、図１中および図２中で左側部となる屋外側部（符示せず）の内側に障子２を保持し、図１中および図２中で右側部となる屋内側部（符示せず）の内側に防虫網戸３を保持する。
【００２２】
なお、基枠１の構成素材については、後述する障子２および防虫網戸３の保持を可能にする限りにおいて、任意であり、したがって、多くの場合、障子２および防虫網戸３の保持に都合が良いように、たとえば、金属材が選択されたり、場合によっては、硬質の合成樹脂材が選択されたりする。
【００２３】
ちなみに、基枠１は、図示するところでは、障子２を保持する部位(符示せず)と、防虫網戸３を保持する部位（符示せず）とが別部材からなる、すなわち、防虫網戸３を保持する屋内側部位が障子２を保持する屋外側部位と異なるとし、たとえば、屋外側部が金属製とされるとき、屋内側部は硬質の合成樹脂製とされて、開口部に設けられる際に障子２を保持する屋外側部位と連結されて一体化されるとしている。
【００２４】
基枠１において、防虫網戸３を設ける屋内側部位が合成樹脂製とされる場合には、この屋内側部位が断熱性に優れることになり、したがって、屋内Ｉの暖気が触れることで基枠１の屋内側部に招来されることがある結露を防止できる点で有利になる。
【００２５】
なお、基枠１を建築物の壁部に連結するのについては、図示する長ネジ（符示せず）が利用される他、任意の方策が選択されて良く、また、基枠１と壁部との間に防水構造が設けられるとしても良い。
【００２６】
障子２は、上記したように、基枠１における屋外側部に設けられるもので、基枠１に保持される金属枠２１と、この金属枠２１に保持される複層ガラス２２とを備え、図示するところでは、金属枠２１が基枠１に枢支されることで開放操作可能に形成される。
【００２７】
ちなみに、基枠１に保持された障子２を開放操作可能にする構造としては、上記の金属枠２１が基枠１に枢支されることで障子２が片開き窓構造にされたりする他、たとえば、障子２を押し出し窓構造にする場合などがあるが、本発明の具現化の上では、障子２の開閉構造が異なることは、障子２の開閉手段の構成が異なることを含めて、問題にならない。
【００２８】
戻って、障子２における金属枠２１は、具体的には、アルミ合金で形成され、軽量にして開閉操作を容易にさせ、また、所定の自己支持性および機械的強度を備えて、風や衝撃などの外力の作用で簡単に変形したり、破損したりしないように配慮されている。
【００２９】
一方、複層ガラス２２は、外側のガラス板２２ａと内側のガラス板２２ｂとの間に密閉された空気層（符示せず）を設けて断熱性を向上させ、内側のガラス板２２ｂにおける屋内Ｉを向く面の結露を防止する。
【００３０】
この観点からすれば、複層ガラス２２は、任意に構成されて良いが、図示するところでは、外側のガラス板２２ａが金属網（符示せず）を埋め込んだ強化ガラスとされて、風や物の衝突による外力作用に対して強化され、また、外側のガラス板２２ａと内側のガラス板２２ｂとの間の周部には、上記の密閉された空気層を形成するスペーサ２２ｃを備える。
【００３１】
なお、ガラス板２２ａ，２２ｂについては、材質や板厚寸法などについて公知のものが利用されて良く、また、空気層に対向する面に特殊な金属膜がコーティングされて遮熱性が高められていても良い。さらに、複層ガラス２２としては、ガラス板が三枚とされるものもあるが、複層ガラス２２である限りには、ガラス板の枚数の多少は、本発明の実施を妨げない。
【００３２】
ちなみに、金属枠２１を備える障子２にあっては、金属枠２１に複層ガラス２２の周部（符示せず）を嵌め込むのに際して、両者間にグレージングチャンネル２３を設けるとしているが、このグレージングチャンネル２３を両者間に設けることで、金属枠２１の言わば冷えた温度が複層ガラス２２に伝わることを効果的に阻止し得ることにもなる。
【００３３】
また、図示するところにあって、障子２は、閉めた状態のとき、基枠１との間を密閉して、たとえば、雨水や外気がいわゆる内側に回りこむことを阻止し得るように、図１中および図２中に符号２４で示す密封シールを備える。
【００３４】
防虫網戸３は、本発明における枠部を形成するもので、このことからすると、後述するように、枠部は、防虫網戸３以外の構成からなるとしても良いことはもちろんである。
【００３５】
本発明の具現化にあって、枠部は、防虫網戸３以外の構成からなるとしても良いことを前提にした上で説明すると、図示する防虫網戸３は、網戸枠３１と、防虫網３２とを備えてなる。
【００３６】
そして、図示するところにあって、防虫網戸３は、基枠１に着脱自在に設けられるとし、特に、防虫網戸３自体の清掃や交換、さらには、防虫網３２の交換などを可能にすると共に、障子２の金属枠２１あるいは複層ガラス２２についての清掃を可能にするように配慮している。
【００３７】
ちなみに、防虫網戸３を基枠１に対して着脱自在に設ける構成については、任意とされて良く、また、防虫網戸３を基枠１から外す際に、防虫網戸３が屋外Ｏ側に移動されるとしても良く、また、反対に、屋内Ｉ側に移動されるとしても良い。
【００３８】
ところで、防虫網戸３は、本発明における枠部を構成するが、具体的には、網戸枠３１が枠部を構成するもので、この観点からすれば、図３に示すように、金属枠２１の屋内Ｉを向く見付面２１ａとの間に隙間Ｓを出現させ、また、後述するシール部材４の基端の保持を可能にし、あるいは、シール部材４の先端の当接を許容ように構成されれば足りる。
【００３９】
以上からすれば、網戸枠３１は、任意に構成されて良いとも言い得るが、防虫網戸３にあって、防虫網３２を張ることからすれば、また、シール部材４の基端が設けられる態勢を恒久的に維持することを可能にする観点からすれば、所定の自己支持性と機械的強度を備えるように構成されるのが好ましい。
【００４０】
そこで、図示するところでは、網戸枠３１が金属製、すなわち、アルミ合金からなるとして、軽量にして取り扱い性を良くし、また、風や衝撃などの外力の作用で簡単に変形したり、破損したりしないように配慮されている。
【００４１】
なお、防虫網戸３にあって、網戸枠３１がアルミ合金からなる場合には、外観が金属の色調になるので、このことを避けるために、図示しないが、網戸枠３１の表面に塗装を施したり、被膜を設けたりしても良く、特に、樹脂製の被膜を設ける場合には、この樹脂製の被膜を断熱材に設定できるので、網戸枠３１における屋内Ｉを向く面への結露を防止できる点で有利になる。
【００４２】
防虫網３２については、屋内Ｉへの虫の侵入を阻止する限りには、任意に構成されて良く、多くの場合に、汎用されているいわゆる防虫ネットが利用されるであろう。
【００４３】
なお、防虫網３２を網戸枠３１に連結する方策については、任意の方策が選択されて良いが、図示するところでは、軟質の丸チューブからなる押さえゴム３３の利用で、防虫網３２の周部（符示せず）が網戸枠３１に形成の押さえゴム用溝３１ａに押し込まれることで連結されるとしている。
【００４４】
ところで、防虫網戸３における網戸枠３１は、上記したように、本発明における枠部を構成するもので、図３に示すように、障子２の金属枠２１における屋内Ｉを向く見付面２１ａとの間に隙間Ｓを備える態勢に設けられる。
【００４５】
すなわち、本発明の結露防止構造にあっては、枠部は、障子２の金属枠２１における屋内Ｉを向く見付面２１ａとの間に隙間Ｓを備える態勢に設けられ、この態勢で、枠部と障子２との間にシール部材４を設けることで、障子２の金属枠２１における屋内Ｉを向く見付面２１ａへの結露を防止する。
【００４６】
ちなみに、障子２の金属枠２１における屋内Ｉを向く見付面２１ａへの結露を防止する観点からすれば、この見付面２１ａを何かで被覆して、結露しないようにする、つまり、たとえば、防虫網戸３における網戸枠３１を見付面２１ａに当接させて、見付面２１ａをいわゆる空気中に露呈させないことでも可能になると言い得る。
【００４７】
しかしながら、この種の結露防止構造にあって、障子２における見付面２１ａに何らかの部材が常時当接する設定にする場合には、たとえば、当接する部材における製作誤差や使用中の変形などに起因して、当接が不能になったり、当接が不完全になったりすることが危惧される。そして、当接が不能になれば、また、当接が不完全になれば、見付面２１ａにおける結露を防止できないことになり、目的達成に十分と言えなくなる。
【００４８】
そこで、本発明にあっては、何らかの部材を当接したり、あるいは、何らかの部材で被覆したりして見付面２１ａにおける結露を防止するのではなく、見付面２１ａが空気中に露呈した状態でも、見付面２１ａへの結露を防止する方策として、障子２と枠部との間にシール部材４を設けるとしたものである。
【００４９】
以下には、このシール部材４について説明するが、先ず、シール部材４は、いわゆるシールとして機能するのに十分と言えるように構成されるとし、軟質合成樹脂材あるいは軟質ゴム材で長尺の中実棒状または細幅帯状あるいはチューブ状に形成されて枠部たる網戸枠３１に無限帯状に設けられて、密閉性を保障する。
【００５０】
図示するところでは、シール部材４は、柔軟性に富む軟質ゴム材で長尺の細幅帯状に形成されるが、シール部材４が密閉性に優れることで、また、これが枠部と障子２との間に設けられることで、上記した隙間Ｓと複層ガラス２２で仕切られる屋内Ｉとの連通が阻止されることになる。
【００５１】
そして、この無限帯状に設けられるシール部材４は、基本的には、基端が枠部に保持されて先端が複層ガラス２２および見付面２１ａのいずれか一方または両方に当接し、あるいは、基端が金属枠２１の見付面２１ａに、または、この見付面２１ａと複層ガラス２２と境界部分に保持されて先端が枠部に当接するとする。図１および図２、すなわち、図３に示すところでは、シール部材４は、枠部たる防虫網戸３における網戸枠３１に基端が保持され、先端が複層ガラス２２の屋内Ｉを向く面に当接されるとしている。
【００５２】
シール部材４の基端を枠部に保持させるのについては、基本的には、保持が可能とされる限りにおいて、任意に構成されて良いが、たとえば、着脱を自在にする構成が選択される場合には、シール部材４の交換が可能になるのはもちろんのこと、シール部材４を枠部に組み付ける作業、すなわち、出来上がった枠部にエンドレス状態に形成されたシール部材４を裁断して連結する作業が可能になるなどで有利になる。
【００５３】
この観点から、図示するところにあっては、先ず、枠部たる防虫網戸３における網戸枠３１が前記した押さえゴム用溝３１ａに並列する係止溝３１ｂを備え、一方、シール部材４は、基端に係止片部４１を備え、この係止片部４１を係止溝３１ｂに嵌め込んで、網戸枠３１に基端が保持されるとする反面、係止溝３１ｂから係止片部４１を強制的に引き出すようにするときに、基端を網戸枠３１たる枠部から外せるとしている。
【００５４】
ところで、図示するところにあって、シール部材４の先端は、複層ガラス２２の屋内Ｉを向く面に当接するが、これに代えて、図示しないが、複層ガラス２２と見付面２１ａの両方、すなわち、複層ガラス２２と見付面２１ａとの境界部分、具体的には、複層ガラス２２の周部を嵌め込ませるグレージングチャンネル２３に当接するとしても良い。
【００５５】
転じて、シール部材４が枠部と障子２との間に設けられるとする限りには、上記したところに代えて、図示しないが、グレージングチャンネル２３における屋内Ｉに位置決めされる端部にシール部材４が一体に連設され、このシール部材４の先端が枠部に当接するとしても良いと言い得る。そして、この場合には、グレージングチャンネル２３について設計変更が要請されるが、この結露防止構造を具現化する上では、部品点数を少なくできる利点があると言える。
【００５６】
戻って、シール部材４の先端は、図３に示すところでは、複層ガラス２２の屋内Ｉを向く面に当接するが、これに代えて、同じく図示しないが、金属枠２１の見付面２１ａに、すなわち、見付面２１ａにおけるグレージングチャンネル２３に接触する内側縁部に当接されるとしても良く、この場合には、シール部材４におけるいわゆる奥行き寸法を小さくできて、部品コストを下げることを期待できることになる。
【００５７】
上記したところは、シール部材４の基端が枠部に設けられる場合であるが、前記したように、シール部材４の基端は、障子２側に設けられるとしても良く、この場合に、上記したように、シール部材４がグレージングチャンネル２３と一体に形成されて設けられるとしても良いが、これに代えて、図示しないが、シール部材４の基端が障子２における金属枠２１、すなわち、金属枠２１のグレージングチャンネル２３に接する内側縁部に接着材利用などで保持されるとしても良い。
【００５８】
この場合には、障子２がシール部材４を備えることになるので、このシール部材４の先端が当接することになる枠部の構成については、シール部材４の基端が枠部に保持される場合に比較して、枠部の構成を簡素化できる点で有利になる。
【００５９】
以上のように、シール部材４が枠部と障子２との間に設けられることにで、枠部と障子２における金属枠２１の見付面２１ａとの間に出現する隙間Ｓと、複層ガラス２２で仕切られる屋内Ｉとの連通が遮断される。
【００６０】
したがって、複層ガラス２２で仕切られる屋内Ｉの空気が隙間Ｓに流入して金属枠２１の見付面２１ａに触れることが阻止されて、金属枠２１の見付面２１ａにおける結露を防止できることになり、その結果、屋内Ｉの熱が金属枠２１を伝わって屋外Ｏに放散される事態の招来を回避でき、屋内Ｉの保温効果を良くするのに最適となる。
【００６１】
そして、枠部と金属枠２１の見付面２１ａとの間の隙間Ｓが複層ガラス２２で仕切られる屋内Ｉに連通しないから、屋外Ｏの冷気が複層ガラス２２の屋内Ｉを向く面を冷やすことがなく、したがって、屋内Ｉの保温効果を良くするのに寄与する。
【００６２】
上記したところは、枠部が防虫網戸３における網戸枠３１からなるとした例であるが、前記したように、枠部は、防虫網戸３、すなわち、網戸枠３１以外からなるとしても良い。そこで、以下には、枠部の他の実施形態について、少し説明する。
【００６３】
図４に示すところは、前記した網戸枠３１に代わる枠部材５を備えるとするもので、この枠部材５が本発明に言う枠部を構成してシール部材４の基端を保持し、あるいは、図示しないが、シール部材４の先端を当接させるとしている。
【００６４】
そして、枠部材５は、その配設される態勢からすれば、前記した防虫網戸３における網戸枠３１と同等となるので、枠部材５をわざわざ別部品として形成するのではなく、防虫網３２を張らない網戸枠３１で代替するとしても良い。なお、枠部材５は、シール部材４の基部の保持を可能にする係止溝５ａを備える。
【００６５】
ところで、前記した網戸枠３１に代わる枠部材５を備え、この枠部材５が枠部を構成してシール部材４の基端を保持し、あるいは、シール部材４の先端を当接させる、すなわち、シール部材４を障子２と枠部材５との間に設けるとの観点からすれば、上記に代えて、別部材とされる枠部材５を利用しない、すなわち、図５に示すように、基枠１における屋内側部が直接枠部を構成してシール部材４の基端を保持するとしても良いと言い得る。
【００６６】
この場合には、基枠１が防虫網戸３（図３参照）を備えない分、基枠１の図５中で左右方向となる厚さ寸法を小さくできて、いわゆる窓構造が屋内Ｉや屋外Ｏに大きく突出することになる不具合を招来しないで済む点で有利なる。
【００６７】
そして、基枠１における屋内側部が直接枠部を構成にして、別部品を設けることなく枠部を構成する場合には、前記したシール部材４がグレージングチャンネル２３に一体に設けられ、したがって、シール部材４の先端が基枠１に設定される枠部に当接する場合には、さらなる部品数の削減が可能になる利点がある。
【００６８】
以上のように、本発明の結露防止構造にあっては、シール部材４が枠部と障子２との間に設けられることで、枠部と障子２における金属枠２１の見付面２１ａとの間に出現する隙間Ｓと、複層ガラス２２で仕切られる屋内Ｉとの連通を遮断することが可能になる。
【００６９】
したがって、複層ガラス２２で仕切られる屋内Ｉの空気が隙間Ｓに流入して金属枠２１の見付面２１ａに触れることを阻止でき、金属枠２１の見付面２１ａにおける結露を防止できることになり、その結果、屋内Ｉの熱が金属枠２１を伝わって屋外Ｏに放散される事態の招来を回避でき、屋内Ｉの保温効果を良くするのに最適となる。
【００７０】
そして、枠部と金属枠２１の見付面２１ａとの間の隙間Ｓが複層ガラス２２で仕切られる屋内Ｉに連通しないから、屋外Ｏの冷気が複層ガラス２２の屋内Ｉを向く面を冷やすことがなく、したがって、屋内Ｉの保温効果を良くするのに寄与することになる。
【００７１】
ちなみに、図示した実施形態にあっては、シール部材４が設けられても、枠部と金属枠２１の見付面２１ａとの間に隙間Ｓが残存する態様を呈するが、本発明が意図するところ、すなわち、シール部材４を設けることで枠部と金属枠２１の見付面２１ａとの間の隙間Ｓが複層ガラス２２で仕切られる屋内Ｉに連通することを阻止することからすれば、図示しないが、シール部材４を設けることで、このシール部材４が隙間Ｓを埋める態様を呈することになっても良いと言える。
【００７２】
前記したところでは、本発明の結露防止構造が建築物における壁部に設けられる開口部に具現化されるとしたが、これに代えて、図示しないが、建築物における屋根に形成の天窓が金属枠とこの金属枠に嵌め込まれる複層ガラスを備えてなる場合には、本発明の具現化が可能になる。
【００７３】
また、前記したところでは、本発明が建築物における開口部たる窓に具現化されるとして説明したが、本発明の構成からすれば、これが建築物における開口部たる出入り口に具現化されるとしても良い。
【００７４】
そして、前記したところでは、本発明が建築物における開口部に具現化されるとしたが、凡そ結露の防止が要請される限りには、構築物における開口部に具現化されるとしても良い。
【符号の説明】
【００７５】
１  基枠
２  障子
３  枠部を構成する防虫網戸
４  シール部材
５  枠部を構成する枠部材
２１  金属枠
２１ａ  見付面
２２  複層ガラス
３１  網戸枠
３２  防虫網
Ｉ  屋内
Ｏ  屋外
Ｓ  隙間
【図１】
2014201876.tif 000003
【図２】
2014201876.tif 000004
【図３】
2014201876.tif 000005
【図４】
2014201876.tif 000006
【図５】
2014201876.tif 000007